【手続補正書】
【提出日】平成15年10月8日(2003.10.8)
【手続補正１】
【補正対象書類名】明細書
【補正対象項目名】特許請求の範囲
【補正方法】変更
【補正の内容】
【特許請求の範囲】
【請求項１】
波形データを記憶した波形記憶手段と、
前記波形データの再生の開始／終了および音高を指示する演奏情報を入力する演奏情報入力手段と、
前記波形記憶手段の波形データを、前記演奏情報入力手段から入力された演奏情報に対応した音高で読み出す波形読出し手段と、で構成され、
前記波形読出し手段は、
前記演奏情報入力手段で入力された先の演奏情報に対応して開始された波形データの読出し中に、後の演奏情報が入力され再生開始が指示された時、前記波形データのうちの前記後の演奏情報が入力されたタイミング以降の部分を前記後の演奏情報に対応した音高で読み出すように構成された
波形発生装置。
【請求項２】
波形データを記憶した波形記憶手段と、
前記波形データの再生の開始／終了および音高を指示する演奏情報を入力する演奏情報入力手段と、
前記波形記憶手段の波舷データを、前記演奏情報入力手段から入力された演奏情報に対応した音高で読み出す波形読出し手段と、で構成され、
前記波形読出し手段は、
前記演奏情報入力手段で入力された先の演奏情報に対応して開始された波形データの読出し中に、後の演奏情報が入力され再生開始が指示された時、それまでの前記先の演奏情報による波形データの読出しに引き続いて、前記波形データのうちの前記後の演奏情報が入力されたタイミング以降の部分を、前記先の演奏情報に対応した音高での記憶波形データの読出しと並行して、前記後の演奏情報に対応した音高で読み出すように構成された
波形発生装置。
【請求項３】
時間軸上の変化を表す時間情報を生成する時間情報生成手段を備えるとともに、
前記波形読出し手段は、
前記波形データを読み出す音高にかかわらず、前記時間情報生成手段の時間情報に対応した時間的変化に従って波形データの読出しを一定の速度で行うように構成された
請求項１または２記載の波形発生装置。
【請求項４】
波形データを入力する入力手段と、
前記波形データを順次記憶する波形記憶手段と、
前記波形データのピッチを検出するピッチ検出手段と、
前記波形データの再生の開始／終了および音高を指示する演奏情報を入力する演奏情報入力手段と、
前記演奏情報入力手段による演奏情報より前記波形データに対するホルマントの変更情報を生成するホルマント変更情報生成手段と、
前記波形記憶手段に記憶された波形データの所望区間を前記ホルマント変更情報に応じた読み出し速度で読み出して、音素片の切り出しを行う音素片切り出し手段と、
前記切り出された音素片を前記演奏情報による音高に対応した周期で読み出し合成する波形読出し合成手段と、で構成され、
前記波形読出し合成手段は、
前記演奏情報入力手段で入力された先の演奏情報に対応して開始された波形データの読出し中に、後の演奏情報が入力され再生開始が指示された時、前記波形データのうちの前記後の演奏情報が入力されたタイミング以降の部分を、前記後の演奏情報に対応した音高で読み出すように構成された
波形発生装置。
【請求項５】
波形データを入力する入力手段と、
前記波形データを順次記憶する波形記憶手段と、
前記波形データのピッチを検出するピッチ検出手段と、
前記波形データの再生の開始／終了および音高を指示する演奏情報を入力する演奏情報入力手段と、
前記演奏情報入力手段による演奏情報より前記波形データに対するホルマントの変更情報を生成するホルマント変更情報生成手段と、
前記波形記憶手段に記憶された波形データの所望区間を前記ホルマント変更情報に応じた読み出し速度で読み出して、音素片の切り出しを行う音素片切り出し手段と、
前記切り出された音素片を前記演奏情報による音高に対応した周期で読み出し合成する波形読出し合成手段と、で構成され、
前記波形読出し合成手段は、
前記演奏情報入力手段で入力された先の演奏情報に対応して開始された波形データの読出し中に、後の演奏情報が入力され再生開始が指示された時、それまでの前記先の演奏情報による波形データの読出しに引き続いて、前記波形データのうちの前記後の演奏情報が入力されたタイミング以降の部分を、前記先の演奏情報に対応した音高での記憶波形データの読出しと並行して、前記後の演奏情報に対応した音高で読み出すように構成された
波形発生装置。
【請求項６】
時間軸上の変化を表す時間情報を生成する時間情報生成手段を備えるとともに、
前記波形読出し合成手段は、
前記波形データを読み出す音高にかかわらず、前記時間情報生成手段の時間情報に対応した時間的変化に従って波形データの読出しを一定の速度で行うように構成された
請求項４または５記載の波形発生装置。
【請求項７】
前記音素片切り出し手段は、
前記波形記憶手段に記憶された波形データの２周期を前記ホルマント変更情報に応じた読み出し速度で読み出して音素片の切り出しを行う音素片切り出し手段である
請求項４、５または６に記載の波形発生装置。
【手続補正２】
【補正対象書類名】明細書
【補正対象項目名】０００５
【補正方法】変更
【補正の内容】
【０００５】
【課題を解決するための手段】
上述の課題を解決するために、本発明にかかる波形発生装置は、一つの形態として、波形データを記憶した波形記憶手段と、前記波形データの再生の開始／終了および音高を指示する演奏情報を入力する演奏情報入力手段と、前記波形記憶手段の波形データを、前記演奏情報入力手段から入力された演奏情報に対応した音高で読み出す波形読出し手段とで構成され、前記波形読出し手段は、前記演奏情報入力手段で入力された先の演奏情報に対応して開始された波形データの読出し中に、後の演奏情報が入力され再生開始が指示された時、前記波形データのうちの前記後の演奏情報が入力されたタイミング以降の部分を前記後の演奏情報に対応した音高で読み出すように構成される。このように構成した波形発生装置では、後の演奏情報が入力されると、先に再生されていた波形がその後の演奏情報の入力時点からその後の演奏情報に対応した音高で再生されるようになり、新たな演奏効果を得ることができる。


【手続補正３】
【補正対象書類名】明細書
【補正対象項目名】０００６
【補正方法】変更
【補正の内容】
【０００６】
また本発明にかかる波形発生装置は、他の形態として、波形データを記憶した波形記憶手段と、前記波形データの再生の開始／終了および音高を指示する演奏情報を入力する演奏情報入力手段と、前記波形記憶手段の波舷データを、前記演奏情報入力手段から入力された演奏情報に対応した音高で読み出す波形読出し手段とで構成され、前記波形読出し手段は、前記演奏情報入力手段で入力された先の演奏情報に対応して開始された波形データの読出し中に、後の演奏情報が入力され再生開始が指示された時、それまでの前記先の演奏情報による波形データの読出しに引き続いて、前記波形データのうちの前記後の演奏情報が入力されたタイミング以降の部分を、前記先の演奏情報に対応した音高での記憶波形データの読出しと並行して、前記後の演奏情報に対応した音高で読み出すように構成される。このように構成した波形発生装置では、後の演奏情報が入力されると、先の演奏情報に基づいて再生されていた波形は以降もそのままの音高で再生され続けるとともに、それと並行して、前記後の演奏情報の入力時点から、再生中の波形の前記入力時点以降の波形が前記後の演奏情報に対応した音高で再生され、新たな演奏効果を得ることができる。


【手続補正４】
【補正対象書類名】明細書
【補正対象項目名】０００７
【補正方法】変更
【補正の内容】
【０００７】
上述の各波形発生装置は、時間軸上の変化を表す時間情報を生成する時間情報生成手段を備えるとともに、前記波形読出し手段は、前記波形データを読み出す音高にかかわらず、前記時間情報生成手段の時間情報に対応した時間的変化に従って波形データの読出しを一定の速度を行うように構成することができる。このようにすると、前述の始め形態の波形発生装置では、先の演奏情報の音高と後の演奏情報の音高が異なるのに対して、波形データを再生する時間は常に同じとすることができる。また、２番目の形態の波形発生装置では、後の演奏情報の入力以後は複数音で波形が再生されることになるが、各音において波形再生が終了する時間は常に同時となり、違和感がなくなる。
また本発明にかかる波形発生装置は、他の形態として、波形データを入力する入力手段と、前記波形データを順次記憶する波形記憶手段と、前記波形データのピッチを検出するピッチ検出手段と、前記波形データの再生の開始／終了および音高を指示する演奏情報を入力する演奏情報入力手段と、前記演奏情報入力手段による演奏情報より前記波形データに対するホルマントの変更情報を生成するホルマント変更情報生成手段と、前記波形記憶手段に記憶された波形データの所望区間を前記ホルマント変更情報に応じた読み出し速度で読み出して、音素片の切り出しを行う音素片切り出し手段と、前記切り出された音素片を前記演奏情報による音高に対応した周期で読み出し合成する波形読出し合成手段とで構成され、前記波形読出し合成手段は、前記演奏情報入力手段で入力された先の演奏情報に対応して開始された波形データの読出し中に、後の演奏情報が入力され再生開始が指示された時、前記波形データのうちの前記後の演奏情報が入力されたタイミング以降の部分を、前記後の演奏情報に対応した音高で読み出すように構成される。
また本発明にかかる波形発生装置は、他の形態として、波形データを入力する入力手段と、前記波形データを順次記憶する波形記憶手段と、前記波形データのピッチを検出するピッチ検出手段と、前記波形データの再生の開始／終了および音高を指示する演奏情報を入力する演奏情報入力手段と、前記演奏情報入力手段による演奏情報より前記波形データに対するホルマントの変更情報を生成するホルマント変更情報生成手段と、前記波形記憶手段に記憶された波形データの所望区間を前記ホルマント変更情報に応じた読み出し速度で読み出して、音素片の切り出しを行う音素片切り出し手段と、前記切り出された音素片を前記演奏情報による音高に対応した周期で読み出し合成する波形読出し合成手段とで構成され、前記波形読出し合成手段は、前記演奏情報入力手段で入力された先の演奏情報に対応して開始された波形データの読出し中に、後の演奏情報が入力され再生開始が指示された時、それまでの前記先の演奏情報による波形データの読出しに引き続いて、前記波形データのうちの前記後の演奏情報が入力されたタイミング以降の部分を、前記先の演奏情報に対応した音高での記憶波形データの読出しと並行して、前記後の演奏情報に対応した音高で読み出すように構成される。
また上述の各波形発生装置は、時間軸上の変化を表す時間情報を生成する時間情報生成手段を備えるとともに、前記波形読出し合成手段は、前記波形データを読み出す音高にかかわらず、前記時間情報生成手段の時間情報に対応した時間的変化に従って波形データの読出しを一定の速度で行うように構成することができる。
また上述の各波形発生装置は、前記音素片切り出し手段は、前記波形記憶手段に記憶された波形データの２周期を前記ホルマント変更情報に応じた読み出し速度で読み出して音素片の切り出しを行う音素片切り出し手段であるように構成することができる。